(57)【要約】【課題】画素が保持する電荷量の偏りを抑えて画素の劣化を抑える。【解決手段】画素の階調変更の書き込み動作が７フレーム目で終了した後、検知した温度が変化すると、画素を黒にしたときの電圧の印加回数と白にしたときの電圧の印加回数との差が０になるように、１３フレーム目まで画素に電圧を印加する。この差が０になった後、検知した温度に対応した印加回数で電圧を画素に印加して全画素を黒にし、検知した温度に対応した印加回数で電圧を画素に印加して全画素を白にする。全画素が白になった後、バッファーに記憶されている画像が表示されるように、検知した温度に対応した印加回数で画素に電圧を印加する。【選択図】図１１
2013195896.tif 000002
【特許請求の範囲】
【請求項１】
画素ごとに設けられた複数の第１電極と、前記複数の第１電極に対向して配置された第２電極と、前記複数の第１電極と前記第２電極との間に配置された電気光学材料と、を備えた表示装置の制御装置であって、
前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と、
前記第１の書き込み動作における第１電圧の印加回数と、前記第２の書き込み動作における第２電圧の印加回数を変更する場合、前記第１電極の電位と前記第２電極の電位とが同電位の状態において前記電気光学材料が保持する電荷量が予め定められた電荷量に収束するように少なくとも一つの前記画素の前記第１電極に電圧を印加する調整部と、
前記第１電圧の印加回数と前記第２電圧の印加回数を変更する場合、各画素の前記電気光学材料が保持する電荷量が予め定められた電荷量に収束している状態で、前記第１の書き込み動作における第１電圧の印加回数と、前記第２の書き込み動作における第２電圧の印加回数を変更する変更部と
を有する表示装置の制御装置。
【請求項２】
前記変更部が前記第１電圧の印加回数及び前記第２電圧の印加回数を変更した後に、前記複数の画素の階調を前記第１階調又は前記第２階調にすること
を特徴とする請求項１に記載の表示装置の制御装置。
【請求項３】
前記調整部により各画素の前記電気光学材料が保持する電荷量が予め定められた電荷量に収束した後で、前記複数の画素の階調を前記第１階調又は前記第２階調にすること
を特徴とする請求項１に記載の表示装置の制御装置。
【請求項４】
前記第１の書き込み動作においては、前記第１電圧に加えて前記第２電圧を印加し、且つ、前記第１電圧の印加回数が前記第２電圧の印加回数より多く、
前記第２の書き込み動作においては、前記第２電圧に加えて前記第１電圧を印加し、且つ、前記第２電圧の印加回数が前記第１電圧の印加回数より多く、
前記第１の書き込み動作における前記第１電圧の印加回数と前記第２電圧の印加回数との差が、前記第２の書き込み動作における前記第２電圧の印加回数と前記第１電圧の印加回数との差と同じであること
を特徴とする請求項１乃至請求項３のいずれか一項に記載の表示装置の制御装置。
【請求項５】
前記第１の書き込み動作における前記第１電圧の印加回数と、前記第２の書き込み動作における前記第２電圧の印加回数とが同じであること
を特徴とする請求項１乃至請求項３のいずれか一項に記載の表示装置の制御装置。
【請求項６】
前記第１の書き込み動作における前記第１電圧の印加回数と、前記第２の書き込み動作における前記第２電圧の印加回数とが異なること
を特徴とする請求項１乃至請求項３のいずれか一項に記載の表示装置の制御装置。
【請求項７】
温度を検知するセンサーで検知された温度が変化した場合、前記第１電圧の印加回数と前記第２電圧の印加回数を変更すること
を特徴とする請求項１乃至請求項６のいずれか一項に記載の表示装置の制御装置。
【請求項８】
前記画素で表示する階調数を前記第１階調と前記第２階調との二階調にするモードと、前記二階調を超える階調数にするモードのいずれかに切り替えられ、
前記変更部は、前記モードを切り替える場合、前記第１電圧の印加回数と前記第２電圧の印加回数を変更すること
を特徴とする請求項１乃至請求項７のいずれか一項に記載の表示装置の制御装置。
【請求項９】
画素毎に設けられた複数の第１電極と、前記複数の第１電極に対向して配置された第２電極と、前記複数の第１電極と前記第２電極との間に配置された電気光学材料と、を備えた表示装置の制御方法であって、
前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込みステップと、
前記第１の書き込み動作における第１電圧の印加回数と、前記第２の書き込み動作における第２電圧の印加回数を変更する場合、前記第１電極の電位と前記第２電極の電位とが同電位の状態において前記電気光学材料が保持する電荷量が予め定められた電荷量に収束するように少なくとも一つの前記画素の前記第１電極に電圧を印加する調整ステップと、
前記第１電圧の印加回数と前記第２電圧の印加回数を変更する場合、各画素の前記電気光学材料が保持する電荷量が予め定められた電荷量に収束している状態で、前記第１の書き込み動作における第１電圧の印加回数と、前記第２の書き込み動作における第２電圧の印加回数を変更する変更ステップと
を有する表示装置の制御方法。
【請求項１０】
画素ごとに設けられた複数の第１電極と、前記複数の第１電極に対向して配置された第２電極と、前記複数の第１電極と前記第２電極との間に配置された電気光学材料と、を備えた表示装置であって、
前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と、
前記第１の書き込み動作における第１電圧の印加回数と、前記第２の書き込み動作における第２電圧の印加回数を変更する場合、前記第１電極の電位と前記第２電極の電位とが同電位の状態において前記電気光学材料が保持する電荷量が予め定められた電荷量に収束するように少なくとも一つの前記画素の前記第１電極に電圧を印加する調整部と、
前記第１電圧の印加回数と前記第２電圧の印加回数を変更する場合、各画素の前記電気光学材料が保持する電荷量が予め定められた電荷量に収束している状態で、前記第１の書き込み動作における第１電圧の印加回数と、前記第２の書き込み動作における第２電圧の印加回数を変更する変更部と
を有する表示装置。
【請求項１１】
請求項１０に記載の表示装置を備える電子機器。
【発明の詳細な説明】
【技術分野】
【０００１】
本発明は、表示装置の制御装置、表示装置の制御方法、表示装置及び電子機器に関する。
【背景技術】
【０００２】
電気光学装置の表示品質に係る発明として例えば特許文献１に開示された電気光学装置がある。この電気光学装置は、電気泳動粒子を利用したものであり、分散媒中の電気泳動粒子に電界を作用させることにより、着色された電気泳動粒子を移動させて画像を表示する。分散媒と電気泳動粒子を用いた電気光学装置においては、温度によって分散媒の粘性が変化するため、同じ電界を作用させても所望の階調を得られない場合がある。このため、この電気光学装置は、同じ階調を表示する場合であっても温度に応じて作用させる電界を変更することにより電気泳動粒子の移動量を制御し、温度が変化しても所望の階調が表示されるようにしている。
【先行技術文献】
【特許文献】
【０００３】
【特許文献１】特開２００４−８５６０６号公報
【発明の概要】
【発明が解決しようとする課題】
【０００４】
ところで、電気泳動粒子を用いた表示装置においては、アクティブマトリクス方式で表示を変更する際に、分散媒と電気泳動粒子を挟む電極に電圧を複数回印加することにより電気泳動粒子を移動させるものがある。具体的には、例えば白と黒の二階調の表示を行う表示装置である場合、画素を黒にする場合には、正極性の電圧を複数回印加し、画素を白にする場合には、負極性の電圧を複数回印加するという制御がなされる。この構成においては、温度が変化すると、所望の階調が表示されるように電圧の印加回数を変更する必要がある。例えば、同じ階調を表示する場合であっても、温度が低ければ印加回数を多くし、温度が高いと印加回数を少なくする。
【０００５】
この構成の場合、画素を黒にする場合と白にする場合とで電圧の印加回数は同じであるものの、印加する電圧の極性が異なる。このため、温度が変化せず、印加回数が変更されない状態にあっては、例えば画素を黒にした後で画素を白にすると、画素が保持する電荷量が一定の値に保たれる。しかしながら、画素を黒の状態にした後、温度が低下したことにより印加回数を多く設定し、この後で画素を白に変更すると、画素を黒にしたときの印加電圧の極性及び印加回数と、画素を白にしたときの印加電圧の極性及び印加回数とのバランスがとれず、画素が保持する電荷量が一定の値にならないため、画素が早く劣化してしまう虞がある。
【０００６】
本発明は、上述した事情に鑑みてなされたものであり、その目的の一つは、画素が保持する電荷量の偏りを抑えて画素の劣化を抑えるようにすることである。
【課題を解決するための手段】
【０００７】
上記目的を達成するために、本発明に係る表示装置の制御装置は、画素ごとに設けられた複数の第１電極と、前記複数の第１電極に対向して配置された第２電極と、前記複数の第１電極と前記第２電極との間に配置された電気光学材料と、を備えた表示装置の制御装置であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と、前記第１の書き込み動作における第１電圧の印加回数と、前記第２の書き込み動作における第２電圧の印加回数を変更する場合、前記第１電極の電位と前記第２電極の電位とが同電位の状態において前記電気光学材料が保持する電荷量が予め定められた電荷量に収束するように少なくとも一つの前記画素の前記第１電極に電圧を印加する調整部と、前記第１電圧の印加回数と前記第２電圧の印加回数を変更する場合、各画素の前記電気光学材料が保持する電荷量が予め定められた電荷量に収束している状態で、前記第１の書き込み動作における第１電圧の印加回数と、前記第２の書き込み動作における第２電圧の印加回数を変更する変更部とを有する。
この構成によれば、書き込み動作において画素の第１電極に印加する印加回数を変更する場合、各画素の前記電気光学材料が保持する電荷量が予め定められた電荷量に収束している状態で印加回数が変更されるため、画素が保持している電荷量に偏りがなく、画素の劣化を抑えることができる。
【０００８】
前記制御装置においては、前記変更部が前記第１電圧の印加回数及び前記第２電圧の印加回数を変更した後に、前記複数の画素の階調を前記第１階調又は前記第２階調にする構成としてもよい。
この構成によれば、印加回数を変更した後で各画素の階調が揃えられた後で画像を表示するため、同じ階調を表示するときに画素同士で階調差が生じるのを抑えることができる。
【０００９】
前記制御装置においては、前記調整部により各画素の前記電気光学材料が保持する電荷量が予め定められた電荷量に収束した後で、前記複数の画素の階調を前記第１階調又は前記第２階調にする構成としてもよい。
この構成によれば、各画素の階調が揃えられた後で印加回数が変更され、この後に画像を表示するため、同じ階調を表示するときに画素同士で階調差が生じるのを抑えることができる。
【００１０】
前記制御装置においては、前記第１の書き込み動作においては、前記第１電圧に加えて前記第２電圧を印加し、且つ、前記第１電圧の印加回数が前記第２電圧の印加回数より多く、前記第２の書き込み動作においては、前記第２電圧に加えて前記第１電圧を印加し、且つ、前記第２電圧の印加回数が前記第１電圧の印加回数より多く、前記第１の書き込み動作における前記第１電圧の印加回数と前記第２電圧の印加回数との差が、前記第２の書き込み動作における前記第２電圧の印加回数と前記第１電圧の印加回数との差と同じである構成としてもよい。
この構成によれば、書き込み動作において第１電圧と第１電圧とは極性が異なる第２電圧を印加するため、電気光学材料を制御し、精度よく階調を表示することができる。
【００１１】
前記制御装置においては、前記第１の書き込み動作における前記第１電圧の印加回数と、前記第２の書き込み動作における前記第２電圧の印加回数とが同じである構成としてもよい。
この構成によれば、各書き込み動作において同じ極性の電圧を印加し、他の極性の電圧を印加しないため、書き込み動作が簡易なものとなる。
【００１２】
前記制御装置においては、前記第１の書き込み動作における前記第１電圧の印加回数と、前記第２の書き込み動作における前記第２電圧の印加回数とが異なる構成としてもよい。
この構成によれば、画素を構成する電気光学材料が、第１階調にする場合と第２階調にする場合とで電圧の印加回数が異なる電気光学材料であっても、各画素の前記電気光学材料が保持する電荷量が予め定められた電荷量に収束している状態で印加回数が変更されるため、画素が保持している電荷量に偏りがなく、画素の劣化を抑えることができる。
【００１３】
前記制御装置においては、温度を検知するセンサーで検知された温度が変化した場合、前記第１電圧の印加回数と前記第２電圧の印加回数を変更する構成としてもよい。
この構成によれば、画素を構成する電気光学材料が、書き込み動作における電圧の印加回数を温度によって変更する必要がある電気光学材料であっても、各画素の前記電気光学材料が保持する電荷量が予め定められた電荷量に収束している状態で印加回数が変更されるため、画素が保持している電荷量に偏りがなく、画素の劣化を抑えることができる。
【００１４】
前記制御装置においては、前記画素で表示する階調数を前記第１階調と前記第２階調との二階調にするモードと、前記二階調を超える階調数にするモードのいずれかに切り替えられ、前記変更部は、前記モードを切り替える場合、前記第１電圧の印加回数と前記第２電圧の印加回数を変更する構成としてもよい。
この構成によれば、表示する階調数に応じて書き込み動作における電圧の印加回数を温度によって変更する必要がある電気光学材料であっても、各画素の前記電気光学材料が保持する電荷量が予め定められた電荷量に収束している状態で印加回数が変更されるため、画素が保持している電荷量に偏りがなく、画素の劣化を抑えることができる。
【００１５】
また、上記目的を達成するために本発明に係る表示装置は、画素ごとに設けられた複数の第１電極と、前記複数の第１電極に対向して配置された第２電極と、前記複数の第１電極と前記第２電極との間に配置された電気光学材料と、を備えた表示装置であって、前記画素の階調を第２階調から第１階調の方向へ変化させる場合には第１電圧を当該画素の前記第１電極へ複数回印加する第１の書き込み動作を行い、前記画素の階調を前記第１階調から前記第２階調の方向へ変化させる場合には前記第１電圧とは極性が異なる第２電圧を当該画素の前記第１電極へ複数回印加する第２の書き込み動作を行う書き込み部と、前記第１の書き込み動作における第１電圧の印加回数と、前記第２の書き込み動作における第２電圧の印加回数を変更する場合、前記第１電極の電位と前記第２電極の電位とが同電位の状態において前記電気光学材料が保持する電荷量が予め定められた電荷量に収束するように少なくとも一つの前記画素の前記第１電極に電圧を印加する調整部と、前記第１電圧の印加回数と前記第２電圧の印加回数を変更する場合、各画素の前記電気光学材料が保持する電荷量が予め定められた電荷量に収束している状態で、前記第１の書き込み動作における第１電圧の印加回数と、前記第２の書き込み動作における第２電圧の印加回数を変更する変更部とを有する。
この構成によれば、書き込み動作において画素の第１電極に印加する印加回数を変更する場合、各画素の前記電気光学材料が保持する電荷量が予め定められた電荷量に収束している状態で印加回数が変更されるため、画素が保持している電荷量に偏りがなく、画素の劣化を抑えることができる。
【００１６】
なお、本発明は、表示装置の制御装置及び表示装置のみならず、表示装置の制御方法、当該表示装置を有する電子機器としても概念することが可能である。
【図面の簡単な説明】
【００１７】
【図１】第１実施形態に係る表示装置１０００のハードウェア構成を示した図。
【図２】表示領域１００の断面を示した図。
【図３】画素１１０の等価回路を示した図。
【図４】記憶領域の構成を説明するための図。
【図５】コントローラー５で実現する機能の構成を示したブロック図。
【図６】コントローラー５が行う処理の流れを示したフローチャート。
【図７】コントローラー５が行う処理の流れを示したフローチャート。
【図８】コントローラー５が行う処理の流れを示したフローチャート。
【図９】コントローラー５が行う処理の流れを示したフローチャート。
【図１０】コントローラー５が行う処理の流れを示したフローチャート。
【図１１】第１実施形態の動作を説明するための図。
【図１２】第２実施形態に係るＲＡＭ４の構成を示した図。
【図１３】バランス記憶領域Ｄの構成を示した図。
【図１４】第２実施形態のコントローラー５が行う処理の流れを示したフローチャート。
【図１５】第２実施形態のコントローラー５が行う処理の流れを示したフローチャート。
【図１６】第２実施形態のコントローラー５が行う処理の流れを示したフローチャート。
【図１７】第２実施形態の動作を説明するための図。
【図１８】電子ブックリーダー２０００の外観図。
【図１９】第２実施形態のコントローラー５が行う処理の流れを示したフローチャート。
【図２０】変形例に係るコントローラー５が行う処理の流れを示したフローチャート。
【発明を実施するための形態】
【００１８】
［実施形態］
（実施形態の構成）
図１は、本発明の一実施形態に係る表示装置１０００のハードウェア構成を示したブロック図である。表示装置１０００は、画像を表示する装置であり、電気泳動方式の電気光学装置１、制御部２、ＶＲＡＭ（Video Random Access Memory）３及び記憶部の一例であるＲＡＭ４を備えている。また、電気光学装置１は、表示部１０とコントローラー５を備えている。
【００１９】
制御部２は、ＣＰＵ（Central Processing Unit）、ＲＯＭ（Read Only Memory）、ＲＡＭ等を備えたマイクロコンピュータであり、表示装置１０００の各部を制御する。また、制御部２は、ＶＲＡＭ３にアクセスし、表示領域１００に表示させる画像を示す画像データをＶＲＡＭ３に書き込む。
コントローラー５は、表示部１０の表示領域１００に画像を表示させるための各種信号を表示部１０の走査線駆動回路１３０とデータ線駆動回路１４０に供給するものである。コントローラー５は、電気光学装置１の制御装置に相当する。なお、制御部２とコントローラー５を合わせた部分を電気光学装置１の制御装置と定義することもできる。あるいは、制御部２、コントローラー５、ＶＲＡＭ３およびＲＡＭ４の全体を、電気光学装置１の制御装置と定義することもできる。
【００２０】
ＶＲＡＭ３は、制御部２により書き込まれた画像データを記憶するメモリーである。ＶＲＡＭ３は、後述するｍ行ラｎ列で配列された画素１１０毎に記憶領域（バッファー）を有している。画像データは、各画素１１０の階調を表す画素データを含んでおり、一の画素１１０の階調を表す画素データは、ＶＲＡＭ３において当該画素１１０に対応した一の記憶領域に記憶される。ＶＲＡＭ３に書き込まれた画素データは、コントローラー５により読み出される。
温度センサー６は、温度を検知するセンサーである。温度センサー６は、検知した温度を表す信号を出力する。なお、温度センサー６は、表示領域１００の近傍に配置される。
ＲＡＭ４は、表示領域１００に画像を表示させるために用いられる各種データを記憶する。ＲＡＭ４には、カウンター記憶領域Ｂ及び予定画像記憶領域Ｅが設けられている。
また、ＲＡＭ４には、電圧印加回数を記憶するための領域である電圧印加回数Ｎ＿ＰＲＥが設けられている。ＲＡＭ４に設けられている記憶領域の詳細については後述する。
【００２１】
表示領域１００では、複数の走査線１１２が図において行（Ｘ）方向に沿って設けられ、複数のデータ線１１４が、列（Ｙ）方向に沿って、かつ、各走査線１１２と互いに電気的に絶縁を保つように設けられている。そして、画素１１０が各走査線１１２と各データ線１１４との交差に対応して、それぞれ設けられている。便宜的に走査線１１２の行数を「ｍ」とし、データ線１１４の列数を「ｎ」としたとき、画素１１０は、縦ｍ行ラ横ｎ列でマトリクス状に配列して表示領域１００を構成することになる。
【００２２】
図２は、表示領域１００の断面を示した図である。表示領域１００は、図２に示したように大別して第１基板１０１、電気泳動層１０２および第２基板１０３によって構成されている。第１基板１０１は、絶縁性及び可撓性を有する基板１０１ａ上に回路の層が形成された基板である。基板１０１ａは、本実施形態においてはポリカーボネートで形成されている。なお、基板１０１ａとしては、ポリカーボネートに限定されることなく、軽量性、可撓性、弾性及び絶縁性を有する樹脂材料を用いることができる。また、基板１０１ａは、可撓性を持たないガラスで形成されていてもよい。基板１０１ａの表面には、接着層１０１ｂが設けられ、接着層１０１ｂの表面には回路層１０１ｃが積層されている。
回路層１０１ｃは、行方向に配列された複数の走査線１１２と、列方向に配列された複数のデータ線１１４を有している。また、回路層１０１ｃは、走査線１１２とデータ線１１４との交差のそれぞれに対応して、画素電極１０１ｄを有している。
【００２３】
電気光学材料の一例である電気泳動層１０２は、バインダー１０２ｂと、バインダー１０２ｂによって固定された複数のマイクロカプセル１０２ａで構成されており、画素電極１０１ｄ上に形成されている。なお、マイクロカプセル１０２ａと画素電極１０１ｄとの間には、接着剤により形成された接着層を設けてもよい。
【００２４】
バインダー１０２ｂとしては、マイクロカプセル１０２ａとの親和性が良好で電極との密着性が優れ、且つ絶縁性を有するものであれば特に制限はない。マイクロカプセル１０２ａ内には、分散媒と電気泳動粒子が格納されている。マイクロカプセル１０２ａを構成する材料としては、アラビアゴム・ゼラチン系の化合物やウレタン系の化合物等の柔軟性を有するものを用いるのが好ましい。
【００２５】
分散媒としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などのいずれかを用いることができ、また、分散媒は、その他の油類であってもよい。また、これらの物質は単独又は混合して分散媒に用いることができ、さらに界面活性剤などを配合して分散媒としてもよい。
【００２６】
電気泳動粒子は、分散媒中で電界によって移動する性質を有する粒子（高分子あるいはコロイド）である。本実施形態においては白の電気泳動粒子と黒の電気泳動粒子がマイクロカプセル１０２ａ内に格納されている。黒の電気泳動粒子は、例えば、アニリンブラックやカーボンブラック等の黒色顔料からなる粒子であり、本実施形態では正に帯電されている。白の電気泳動粒子は、例えば、二酸化チタンや酸化アルミニウム等の白色顔料からなる粒子であり、本実施形態では負に帯電されている。
【００２７】
第２基板１０３は、フィルム１０３ａと、フィルム１０３ａの下面に形成された透明な共通電極層１０３ｂ（第２電極）で構成されている。フィルム１０３ａは、電気泳動層１０２の封止及び保護の役割を担うものであり、例えばポリエチレンテレフタレートのフィルムである。フィルム１０３ａは、透明で絶縁性を有している。共通電極層１０３ｂは、例えば、酸化インジウム膜（ＩＴＯ膜）などの透明な導電膜で構成されている。
【００２８】
図３は、画素１１０の等価回路を示した図である。なお、本実施形態では、各走査線１１２を区別するために、図１に示した走査線１１２を上から順に１、２、３、・・・、（ｍ−１）、ｍ行目という呼び方をする場合がある。また同様に、各データ線１１４を区別するために、図１に示したデータ線１１４を左から順に１、２、３、・・・、（ｎ−１）、ｎ列目という呼び方をする場合がある。
図３においては、ｉ行目の走査線１１２とｊ列目のデータ線１１４との交差に対応した画素１１０の等価回路を示している。他のデータ線１１４と走査線１１２との交差に対応した画素１１０も構成は図に示した構成と同じであるため、ここでは、代表してｉ行目のデータ線１１４とｊ列目の走査線１１２との交差に対応した画素１１０の等価回路について説明し、他の画素１１０の等価回路については説明を省略する。
【００２９】
図３に示したように、各画素１１０は、ｎチャネル型の薄膜トランジスター（thin film transistor：以下単に「ＴＦＴ」と略称する）１１０ａと、表示素子１１０ｂと、補助容量１１０ｃとを有する。画素１１０において、ＴＦＴ１１０ａのゲート電極はｉ行目の走査線１１２に接続される一方、そのソース電極はｊ列目のデータ線１１４に接続され、そのドレイン電極は、表示素子１１０ｂの一端である画素電極１０１ｄと補助容量１１０ｃの一端とにそれぞれ接続されている。補助容量１１０ｃは、回路層１０１ｃに形成された一対の電極によって誘電体層を挟持した構成である。補助容量１１０ｃの他端の電極は、各画素にわたって共通の電圧にされている。画素電極１０１ｄは、共通電極層１０３ｂと対向し、画素電極１０１ｄと共通電極層１０３ｂとの間にはマイクロカプセル１０２ａを含む電気泳動層１０２が挟まれている。このため、表示素子１１０ｂは、等価回路でみたときに、画素電極１０１ｄと共通電極層１０３ｂとで、電気泳動層１０２を挟持した容量になる。そして、表示素子１１０ｂは、両電極間の電圧を保持（記憶）するとともに、この保持した電圧によって生じる電界方向にしたがって表示を行うことになる。なお、本実施形態においては、図示省略した外部回路によって、各画素１１０の補助容量１１０ｃの他端の電極と、共通電極層１０３ｂの電圧は、共通の電圧Ｖｃｏｍが印加される。
【００３０】
図１に戻り、走査線駆動回路１３０は、表示領域１００の各走査線１１２と接続されている。走査線駆動回路１３０は、コントローラー５による制御にしたがって、走査線１１２を１、２、・・・、ｍ行目という順番で選択し、選択した走査線１１２に対してハイ（Ｈｉｇｈ）レベルの信号を供給し、選択されていない他の走査線１１２に対しロー（Ｌｏｗ）レベルの信号を供給するものである。
データ線駆動回路１４０は、表示領域の各データ線１１４と接続されており、選択された走査線１１２に接続されている画素１１０の１行分の表示内容に応じて各列のデータ線１１４にデータ信号をそれぞれ供給するものである。
【００３１】
走査線駆動回路１３０が１行目の走査線１１２を選択してからｍ行目の走査線１１２の選択が終了するまでの期間（以下、「フレーム期間」又は単に「フレーム」と称する）において各走査線１１２は一回づつ選択され、各画素１１０には１フレームに一回づつデータ信号が供給される。
走査線１１２がハイレベルとなると、当該走査線１１２にゲートが接続されたＴＦＴ１１０ａがオン状態になり、画素電極１０１ｄがデータ線１１４に接続される。走査線１１２がハイレベルであるときにデータ線１１４にデータ信号を供給すると、当該データ信号は、オン状態になったＴＦＴ１１０ａを介して画素電極１０１ｄに印加される。走査線１１２がローレベルになると、ＴＦＴ１１０ａはオフ状態になるが、データ信号によって画素電極１０１ｄに印加された電圧は、補助容量１１０ｃに蓄積され、画素電極１０１ｄの電位及び共通電極層１０３ｂの電位との電位差（電圧）に応じて電気泳動粒子が移動する。
【００３２】
例えば、共通電極層１０３ｂの電圧Ｖｃｏｍに対して画素電極１０１ｄの電圧が＋１５Ｖ（第２電圧）である場合、負に帯電している白の電気泳動粒子が画素電極１０１ｄ側に移動し、正に帯電している黒の電気泳動粒子が共通電極層１０３ｂ側に移動して画素１１０は黒の表示となる。また、共通電極層１０３ｂの電圧Ｖｃｏｍに対して画素電極１０１ｄの電圧が−１５Ｖ（第１電圧）である場合、正に帯電している黒の電気泳動粒子が画素電極１０１ｄ側に移動し、負に帯電している白の電気泳動粒子が共通電極層１０３ｂ側に移動して画素１１０は白の表示となる。なお、画素電極１０１ｄの電圧は、上述した電圧に限定されるものではなく、共通電極層１０３ｂの電圧Ｖｃｏｍに対してプラス（正極）の電圧またはマイナス（負極）の電圧であれば、上述した＋１５Ｖや−１５Ｖ以外の電圧であってもよい。
【００３３】
本実施形態においては、各画素１１０の表示状態を第１階調である白（低階調）から第２階調である黒（高階調）又は黒から白へ変化させる際には、１フレームだけ画素１１０へデータ信号を供給して表示状態を変化させるのではなく、複数フレームに渡って画素１１０へデータ信号を供給する書き込み動作により表示状態を変化させる。これは、表示状態を白から黒へ変化させるに際し、１フレームだけ電気泳動粒子に電位差を与えても黒の電気泳動粒子が完全には表示側に移動しきらず、表示状態が完全な黒とはならないためである。このことは、表示状態を黒から白へ変化させる場合の白の電気泳動粒子についても同様である。よって、例えば、画素１１０の表示状態を白から黒へ変化させる場合、画素１１０に黒を表示させるためのデータ信号が複数フレームに渡って画素１１０へ供給され、画素１１０の表示状態を黒から白へ変化させる場合には、画素に白を表示させるためのデータ信号が複数フレームに渡って画素１１０へ供給される。本明細書において「書き込み動作」とは、画素の表示状態を所望の階調表示状態とするために行われる画素へのデータ信号の供給シーケンス、又はこれに基づいて行われる共通電極層１０３ｂ、画素電極１０１ｄ間への電圧印加シーケンスを言う。
【００３４】
また本実施形態においては、１フレーム内である画素１１０の画素電極１０１ｄを共通電極層１０３ｂに対して電位が高くなる正極とし、同じフレーム内で他の画素１１０の画素電極１０１ｄを共通電極層１０３ｂに対して電位が低くなる負極とすることができる。つまり、１フレーム内で共通電極層１０３ｂに対して正極と負極の両方の極を選択できる駆動（以下、両極駆動という）となっている。より詳しくは、１フレーム内において、階調を高階調側（第２階調側）に変更する画素１１０の画素電極１０１ｄは正極とし、階調を低階調側（第１階調側）に変更する画素１１０の画素電極１０１ｄは負極とする。なお、黒の電気泳動粒子が負に帯電し、白の電気泳動粒子が正に帯電している場合には、階調を高階調側（第２階調側）に変更する画素１１０の画素電極１０１ｄは負極とし、階調を低階調側（第１階調側）に変更する画素１１０の画素電極１０１ｄは正極とすればよい。
【００３５】
次にＲＡＭ４に設けられる各記憶領域について説明する。図４は、表示領域１００の画素１１０の一部と、これらの画素１１０に対応する各記憶領域を示した図である。各記憶領域は、ｍ行ラｎ列の画素１１０の各々に対応した記憶領域を備えている。
図４の（ａ）は、画素１１０の配列を示した図である。画素Ｐ（ｉ，ｊ）は、ｉ行ｊ列目にある一つの画素１１０を表している。添字のｉは、行列に配置された画素１１０の行番号を表し、添字のｊは、列番号を表している。
図４の（ｂ）は、ＶＲＡＭ３において、図４の（ａ）に示した画素の各々に対応したバッファーを示した図である。例えば、バッファーＡ（ｉ，ｊ）は、画素Ｐ（ｉ，ｊ）に対応した記憶領域である。バッファーＡ（ｉ，ｊ）には、画素Ｐ（ｉ，ｊ）の階調を示す画素データが書き込まれる。なお、画素を黒にする場合には値が「０」である画素データが書き込まれ、画素を白にする場合には値が「５」である画素データが書き込まれる。
【００３６】
図４の（ｃ）は、カウンター記憶領域Ｂにおいて、図４の（ａ）に示した画素の各々に対応した記憶領域を示した図である。例えば、カウンター記憶領域Ｂ（ｉ，ｊ）は画素Ｐ（ｉ，ｊ）に対応した記憶領域である。カウンター記憶領域Ｂ（ｉ，ｊ）には、画素Ｐ（ｉ，ｊ）に対して電圧を複数回印加する時の残りの印加回数を示す値が書き込まれる。
図４の（ｄ）は、予定画像記憶領域Ｅにおいて、図４の（ａ）に示した画素の各々に対応した記憶領域を示した図である。例えば、予定画像記憶領域Ｅ（ｉ，ｊ）は画素Ｐ（ｉ，ｊ）に対応した記憶領域である。予定画像記憶領域Ｅ（ｉ，ｊ）には、表示領域１００に表示させる予定の画像の各画素の画素データが書き込まれる。
図４の（ｅ）は、電圧印加回数Ｎ＿ＰＲＥの記憶領域を示した図である。電圧印加回数Ｎ＿ＰＲＥには、画素の階調を変更するときの電圧印加回数が書き込まれる。なお、画素への電圧印加回数は、後述するように温度に応じて異なるため、電圧印加回数Ｎ＿ＰＲＥの値は、温度センサー６で測定された温度に応じて書き換えられることになる。
【００３７】
次にコントローラー５の構成について説明する。図５は、本実施形態のコントローラー５において実現する機能を示したブロック図である。コントローラー５においては、調整部５０１、書き込み部５０２及び変更部５０３が実現する。なお、コントローラー５において実現するブロックは、ハードウェアにより実現されてもよく、コントローラー５にＣＰＵを設け、このＣＰＵでプログラムを実行することにより実現されるようにしてもよい。
【００３８】
書き込み部５０２は、画素の階調を白又は黒へ変化させる書き込み動作を行うブロックである。書き込み部５０２は、走査線駆動回路１３０とデータ線駆動回路１４０を制御し、画素を白から黒へ変化させる第２電圧又は画素を黒から白へ変化させる第１電圧を複数フレームに渡って画素へ印加することにより、画素の階調を白又は黒へ変化させる。
調整部５０１は、電気泳動層１０２が保持する電荷量が予め定められた電荷量に収束させるブロックである。調整部５０１は、走査線駆動回路１３０とデータ線駆動回路１４０を制御し、電気泳動層１０２が保持する電荷量が予め定められた電荷量に収束するように第１電圧又は第２電圧を画素に印加する。
変更部５０３は、書き込み部５０２が画素の階調を変更するときに印加する電圧の印加回数を変更するブロックである。変更部５０３は、温度センサー６から出力された信号に基づいて、温度センサー６で検知した温度を特定する。また、変更部５０３は、特定した温度に対応した印加回数をＲＡＭ４に書き込む。書き込み部５０２は、画素の階調を変更するときには、ＲＡＭ４に書き込まれた印加回数で第１電圧又は第２電圧を印加する。
【００３９】
本実施形態においては、コントローラー５は、画素の階調を変化させる際の電圧印加回数（フレーム数）を温度センサー６で検知した温度に応じて変更する。この電圧印加回数は、本実施形態においては、検知した温度が１５℃未満の場合には６回、１５℃以上２０℃未満の場合には５回、２０℃以上３０℃未満の場合には４回、３０℃以上の場合には３回としている。例えば、温度センサー６で検知した温度が１８℃の場合、画素を白から黒にする場合には＋１５Ｖの電圧を５回印加し、画素を黒から白にする場合には−１５Ｖの電圧を５回印加する。画素にプラスの電圧を印加した回数とマイナスの電圧を印加した回数が同じであれば、画素電極１０１ｄにプラスの電圧を印加した回数と、画素電極１０１ｄにマイナスの電圧を印加した回数で偏りが生じることがない。
【００４０】
しかし、画素に＋１５Ｖの電圧を５回印加して画素を黒にした後で、検知した温度が１５℃未満となった場合、黒の画素を白にする場合には−１５Ｖの電圧を６回印加することになる。この場合、プラスの電圧を印加した回数よりマイナスの電圧を印加した回数が多くなり、プラスの電圧の印加回数とマイナスの電圧の印加回数に偏りが生じる。そして、このような動作が繰り返し行われると、プラスの電圧の印加回数とマイナスの電圧の印加回数に偏りが大きくなり、画素が早く劣化してしまう虞がある。このため、画素へのプラスの電圧の印加回数とマイナスの電圧の印加回数とに偏りが生じないことが好ましい。ここで、ある画素において、プラスの電圧の印加回数とマイナスの電圧の累積の印加回数が等しい場合、その画素における電気泳動層１０２が保持する電荷量は、予め定められた電荷量（この場合は０）に収束した状態となっているとみなすことができる。換言すれば、ある画素において電気泳動層１０２が保持する電荷量が０に収束した状態とは、その画素におけるプラスの電圧の印加回数とマイナスの電圧の累積の印加回数が等しい状態であるということができる。
そこで本実施形態においては、温度が変化しても画素へのプラスの電圧の印加回数とマイナスの電圧の印加回数とに偏りが生じないように動作する。以下、その動作について説明する。
【００４１】
（第１実施形態の動作例）
図６〜図１０は、コントローラー５が行う処理の流れを示したフローチャートであり、図６は、フレーム期間前にコントローラー５が行う処理の流れを示した図である。フレーム期間前においては、コントローラー５は、まず変数ｉと変数ｊを初期化して１にする（ステップＳＡ１，ＳＡ２）。次にコントローラー５は、バッファーＡ（ｉ，ｊ）の値と予定画像記憶領域Ｅ（ｉ，ｊ）の値が同じであるか判断する。ここで、コントローラー５は、バッファーＡ（ｉ，ｊ）の値と予定画像記憶領域Ｅ（ｉ，ｊ）の値が同じである場合（ステップＳＡ３でＹＥＳ）、処理の流れをステップＳＡ７へ移す。
【００４２】
コントローラー５は、バッファーＡ（ｉ，ｊ）の値と予定画像記憶領域Ｅ（ｉ，ｊ）の値が異なる場合（ステップＳＡ３でＮＯ）、カウンター記憶領域Ｂ（ｉ，ｊ）の値が０であるか判断する。ここで、カウンター記憶領域Ｂ（ｉ，ｊ）の値が０ではない場合（ステップＳＡ４でＮＯ）、コントローラー５は、処理の流れをステップＳＡ７へ移す。一方、カウンター記憶領域Ｂ（ｉ，ｊ）の値が０である場合（ステップＳＡ４でＹＥＳ）、画素の階調を現在の階調からバッファーＡ（ｉ，ｊ）の階調へ変更するのに必要な電圧の印加回数をカウンター記憶領域Ｂ（ｉ，ｊ）に書き込む（ステップＳＡ５）。ここで、コントローラー５は、電圧印加回数Ｎ＿ＰＲＥの値をカウンター記憶領域Ｂ（ｉ，ｊ）に設定する。例えば、ここで電圧印加回数Ｎ＿ＰＲＥの値が５である場合、カウンター記憶領域Ｂ（ｉ，ｊ）には「５」が書き込まれる。
【００４３】
コントローラー５は、ステップＳＡ５が終了すると、予定画像記憶領域Ｅ（ｉ，ｊ）の値をバッファーＡ（ｉ，ｊ）の値で上書きする（ステップＳＡ６）。コントローラー５は、ステップＳＡ６の処理が終了すると、ステップＳＡ７で変数ｊの値がｎであるか判断する。コントローラー５は、変数ｊの値がｎではない場合、変数ｊをインクリメントし、処理の流れをステップＳＡ３へ移す。またコントローラー５は、変数ｊの値がｎである場合、ステップＳＡ８で変数ｉの値がｍであるか判断する。コントローラー５は、変数ｉの値がｍではない場合、変数ｉをインクリメントし、処理の流れをステップＳＡ２へ移す。
【００４４】
次に図７は、フレーム期間においてコントローラー５が行う処理の流れを示した図である。この処理においては、コントローラー５は、まず変数ｉと変数ｊを初期化して１にする（ステップＳＢ１，ＳＢ２）。次にコントローラー５は、予定画像記憶領域Ｅ（ｉ，ｊ）の値が０であるか判断する。コントローラー５は、予定画像記憶領域Ｅ（ｉ，ｊ）の値が０（黒）であると（ステップＳＢ３でＹＥＳ）、ステップＳＢ４で図８に示した処理を行い、予定画像記憶領域Ｅ（ｉ，ｊ）の値が５（白）であると（ステップＳ３でＮＯ）、ステップＳＢ５で図９に示した処理を行う。
【００４５】
図８の処理においては、コントローラー５は、まずカウンター記憶領域Ｂ（ｉ，ｊ）の値が０であるか判断する。コントローラー５は、カウンター記憶領域Ｂ（ｉ，ｊ）の値が０ではない場合（ステップＳＣ１でＮＯ）、カウンター記憶領域Ｂ（ｉ，ｊ）の値を更新する（ステップＳＣ２）。具体的には、コントローラー５は、カウンター記憶領域Ｂ（ｉ，ｊ）の値をデクリメントする。そして、コントローラー５は、ｊ列目のデータ線１１４を電圧Ｖｃｏｍに対して＋１５Ｖにするようにデータ線駆動回路１４０を制御する（ステップＳＣ３）。なお、コントローラー５は、ステップＳＣ１でＹＥＳと判断した場合、ｊ列目のデータ線１１４を電圧Ｖｃｏｍに対して０Ｖにする（ステップＳＣ４）。
【００４６】
次に図９の処理について説明する。図９の処理においては、コントローラー５は、まずカウンター記憶領域Ｂ（ｉ，ｊ）の値が０であるか判断する。コントローラー５は、カウンター記憶領域Ｂ（ｉ，ｊ）の値が０ではない場合（ステップＳＤ１でＮＯ）、カウンター記憶領域Ｂ（ｉ，ｊ）の値を更新する（ステップＳＤ２）。具体的には、コントローラー５は、カウンター記憶領域Ｂ（１，１）の値をデクリメントする。そして、コントローラー５は、ｊ列目のデータ線１１４を電圧Ｖｃｏｍに対して−１５Ｖにする（ステップＳＤ３）。なお、コントローラー５は、ステップＳＤ１でＹＥＳと判断した場合、ｊ列目のデータ線１１４を電圧Ｖｃｏｍに対して０Ｖにする（ステップＳＤ４）。
【００４７】
図７に戻り、コントローラー５は、ステップＳＢ６で変数ｊの値がｎであるか判断する。コントローラー５は、変数ｊの値がｎではない場合、変数ｊをインクリメントし、処理の流れをステップＳＢ３へ移す。またコントローラー５は、変数ｊの値がｎである場合、ｉ行目の走査線を駆動する（ステップＳＢ７）。次にコントローラー５は、ステップＳＢ８で変数ｉの値がｍであるか判断する。コントローラー５は、変数ｉの値がｍではない場合、変数ｉをインクリメントし、処理の流れをステップＳＢ２へ移す。またコントローラー５は、変数ｉの値がｍである場合、図７の処理を終了する。
【００４８】
図１０は、画素に対するプラスの電圧の印加回数とマイナスの電圧の印加回数とを揃える処理の流れを示したフローチャートである。図１０の処理は、フレーム期間前において図６の処理の後に実行される。
この処理においては、まずコントローラー５は、カウンター記憶領域Ｂの値が全て０であるか判断する。コントローラー５は、カウンター記憶領域Ｂの値が全て０ではない場合（ステップＳＥ１でＮＯ）、この処理を終了する。コントローラー５は、カウンター記憶領域Ｂの値が全て０である場合（ステップＳＥ１でＹＥＳ）、温度センサー６で測定された温度を特定し（ステップＳＥ２）、特定した温度に対応した電圧印加回数を電圧印加回数Ｎ＿ＮＥＷとする（ステップＳＥ３）。次にコントローラー５は、電圧印加回数Ｎ＿ＰＲＥの値と電圧印加回数Ｎ＿ＮＥＷの値が同じであるか判断する。ここで、コントローラー５は、電圧印加回数Ｎ＿ＰＲＥの値と電圧印加回数Ｎ＿ＮＥＷの値が同じである場合（ステップＳＥ４でＹＥＳ）、図１０の処理を終了する。
【００４９】
コントローラー５は、電圧印加回数Ｎ＿ＰＲＥの値と電圧印加回数Ｎ＿ＮＥＷの値が異なる場合（ステップＳＥ４でＮＯ）、画素に対するプラスの電圧の印加回数とマイナスの電圧の印加回数を揃える処理を行う。具体的には、コントローラー５は、全画素を白にする処理を実行する（ステップＳＥ５）。なお、この処理においては、この時点で白の画素については電圧を印加せず、黒の画素にのみ電圧を印加して全画素の階調を白に揃えるが、画素を黒から白にするときの電圧印加回数は、電圧印加回数Ｎ＿ＰＲＥの値である。
次にコントローラー５は、電圧印加回数Ｎ＿ＰＲＥの値を、電圧印加回数Ｎ＿ＮＥＷの値に書き換える（ステップＳＥ６）。そして、コントローラー５は、全画素を黒にする処理（ステップＳＥ７）を実行した後、全画素を白にする処理（ステップＳＥ８）を再度実行する。また、コントローラー５は、各記憶領域を更新する処理を行う（ステップＳＥ９）。なお、コントローラー５は、ステップＳＥ９の処理として図６に示した処理を実行する。
【００５０】
次に、温度センサー６で検知した温度が変化したときの動作の一例を図１１を用いて説明する。図１１は、時間の経過と共に変化する各記憶領域の内容を示した図であり、一例として画素Ｐ（１，１）と画素Ｐ（１，２）に対応した各記憶領域の内容について示している。なお、各記憶領域の内容はフレーム期間が終了した後の値となっている。また、図１１においては、画素を黒にする電圧（＋１５Ｖ）と画素を白にする電圧（−１５Ｖ）の印加回数の差、及び温度の変化も示している。なお、印加回数の差については、画素にプラスの電圧を印加した場合には値をインクリメントし、マイナスの電圧を印加した場合には、値をデクリメントしており、値が０となっている場合、その画素においては、プラスの電圧の印加回数とマイナスの電圧の印加回数とが同じとなっている。
【００５１】
まず、１フレーム目と２フレーム目においては、カウンター記憶領域Ｂの値が０となっており、全画素で書き込み動作が行われていない状態となっている。３フレーム目の開始前に制御部２によってバッファーＡの内容が書き換えられた後、コントローラー５は、フレーム期間の開始前に図６の処理を行う。ここで、バッファーＡ（１，１）の値が０であり、予定画像記憶領域Ｅ（１，１）の値が５であって、バッファーＡ（１，１）と予定画像記憶領域Ｅ（１，１）の値が異なり（ステップＳＡ３でＮＯ）、カウンター記憶領域Ｂ（１，１）の値が０であるため（ステップＳＡ４でＹＥＳ）、コントローラー５は、カウンター記憶領域Ｂ（１，１）の値を設定する（ステップＳＡ５）。
【００５２】
ここで、電圧印加回数Ｎ＿ＰＲＥの値が５である場合、コントローラー５は、階調を０（黒）にするための電圧印加回数としてカウンター記憶領域Ｂ（１，１）に５を書き込む。また、コントローラー５は、予定画像記憶領域Ｅ（１，１）の値をバッファーＡ（１，１）の値で上書きして０にする（ステップＳＡ６）。次にコントローラー５は、バッファーＡ（１，２）の値が５であり、予定画像記憶領域Ｅ（１，２）の値が０であって、バッファーＡ（１，２）と予定画像記憶領域Ｅ（１，２）の値が異なり（ステップＳＡ３でＮＯ）、カウンター記憶領域Ｂ（１，２）の値が０であるため（ステップＳＡ４でＹＥＳ）、コントローラー５は、階調を５（白）にするための電圧印加回数としてカウンター記憶領域Ｂ（１，２）に５を書き込み（ステップＳＡ５）、予定画像記憶領域Ｅ（１，２）の値をバッファーＡ（１，２）の値で上書きして５にする（ステップＳＡ６）。
【００５３】
次にコントローラー５は、図１０の処理を実行する。この時点では、上述したようにカウンター記憶領域Ｂにおいて５が書き込まれた領域があるため、コントローラー５は、ステップＳＥ１でＮＯと判断し、図１０の処理を終了する。次にコントローラー５は、フレーム期間になると図７の処理を実行する。
【００５４】
図７の処理においては、画素Ｐ（１，１）については、予定画像記憶領域Ｂ（１，１）の値が０であるため、コントローラー５は、ステップＳＢ４の処理（図８の処理）を実行する。図８の処理においては、コントローラー５は、カウンター記憶領域Ｂ（１，１）の値が０ではないため（ステップＳＣ１でＮＯ）、カウンター記憶領域Ｂ（１，１）の値をデクリメントして４にする（ステップＳＣ２）。また、コントローラー５は、１列目のデータ線１１４を電圧Ｖｃｏｍに対して＋１５Ｖにし（ステップＳＣ３）、処理の流れをステップＳＢ６へ移す。
また、画素Ｐ（１，２）については、予定画像記憶領域Ｂ（１，２）の値が５であるため、コントローラー５は、ステップＳＢ５の処理（図９の処理）を実行する。図９の処理においては、コントローラー５は、カウンター記憶領域Ｂ（１，２）の値が０ではないため（ステップＳＤ１でＮＯ）、カウンター記憶領域Ｂ（１，２）の値をデクリメントして４にする（ステップＳＤ２）。また、コントローラー５は、１列目のデータ線１１４を電圧Ｖｃｏｍに対して−１５Ｖにし（ステップＳＤ３）、処理の流れをステップＳＢ６へ移す。
この後、１行目の走査線１１２が駆動されると（ステップＳＢ７）、画素Ｐ（１，１）の画素電極１０１ｄには、電圧Ｖｃｏｍに対して＋１５Ｖの電圧が印加され、黒の電気泳動粒子が共通電極層１０３ｂ側に移動し、画素Ｐ（１，２）の画素電極１０１ｄには、電圧Ｖｃｏｍに対して−１５Ｖの電圧が印加され、白の電気泳動粒子が共通電極層１０３ｂ側に移動する。
【００５５】
この後の７フレーム目までは、画素Ｐ（１，１）については、ステップＳＢ４の処理が行われ、画素Ｐ（１，２）については、ステップＳＢ５の処理が行われる。７フレーム目が終了すると、カウンター記憶領域Ｂ（１，１）とカウンター記憶領域Ｂ（１，２）の値が０となる。
【００５６】
次に８フレーム目の開始前にバッファーＡの内容が書き換えられていない場合、フレーム期間の開始前においては、全画素についてステップＳＡ３でＹＥＳと判断されるため、カウンター記憶領域Ｂと予定画像記憶領域Ｅの内容は更新されない。
また、８フレーム目においては、カウンター記憶領域Ｂの値が全て０となっているため、コントローラー５は、図１０の処理においてステップＳＥ１でＹＥＳと判断する。次にコントローラー５は、温度センサー６からの信号に基づいて温度を特定し（ステップＳＥ２）、特定した温度に対応した電圧印加回数Ｎ＿ＮＥＷを特定する（ステップＳＥ３）。ここで、ステップＳＥ２で特定した温度が１９℃である場合、温度が１５℃以上２０℃未満の場合の電圧印加回数は５であるため、電圧印加回数Ｎ＿ＮＥＷは５となる。
【００５７】
次に、電圧印加回数Ｎ＿ＰＲＥの値は５であり、電圧印加回数Ｎ＿ＮＥＷの値の５と同じであるため、コントローラー５は、ステップＳＥ４でＹＥＳと判断し、図１０の処理を終了する。この後、フレーム期間となると、画素Ｐ（１，１）については、カウンター記憶領域Ｂ（１，１）の値が０であるため、コントローラー５は、ステップＳＣ４の処理を行い、画素Ｐ（１，２）については、カウンター記憶領域Ｂ（１，２）の値が０であるため、ステップＳＤ４の処理を行う。そしてコントローラー５がステップＳＢ７の処理を実行すると、画素Ｐ（１，１）と画素Ｐ（１，２）においては、画素電極１０１ｄと共通電極層１０３ｂとの間の電位差が０Ｖとなり、電気泳動粒子が移動しないことになる。
【００５８】
次に、９フレーム目の開始前にもバッファーＡの内容が書き換えられなかった場合、８フレーム目と同様にカウンター記憶領域Ｂと予定画像記憶領域Ｅの内容は更新されない。また、カウンター記憶領域Ｂの値が全て０となっているため、コントローラー５は、ステップＳＥ１でＹＥＳと判断する。
次にコントローラー５は、温度センサー６からの信号に基づいて温度を特定し（ステップＳＥ２）、特定した温度に対応した電圧印加回数Ｎ＿ＮＥＷを特定する（ステップＳＥ３）。ここで、８フレーム目から温度が変化しており、ステップＳＥ２で特定した温度が２０℃である場合、温度が２０℃以上３０℃未満の場合の電圧印加回数は４であるため、電圧印加回数Ｎ＿ＮＥＷは４となる。電圧印加回数Ｎ＿ＰＲＥの値は５であり、電圧印加回数Ｎ＿ＮＥＷの値の４と異なるため、コントローラー５は、ステップＳＥ４でＮＯと判断し、処理の流れをステップＳＥ５へ移す。
【００５９】
ステップＳＥ５においては、コントローラー５は、予定画像記憶領域Ｅにおいて、０が書き込まれている領域に５を書き込む。また、予定画像記憶領域Ｅの値が０から５に書き換えられた画素について、コントローラー５は、カウンター記憶領域Ｂの値を電圧印加回数Ｎ＿ＰＲＥの値に設定する。例えば、８フレーム目の終了時点においては、予定画像記憶領域Ｅ（１，１）に０が書き込まれているため、コントローラー５は、予定画像記憶領域Ｅ（１，１）の値を５に書き換える。また、コントローラー５は、カウンター記憶領域Ｂ（１，１）の値を、この時点の電圧印加回数Ｎ＿ＰＲＥの値である５に書き換える。
この後、コントローラー５は、カウンター記憶領域Ｂの値が全て０になるまで図７の処理を繰り返す。これにより、画素Ｐ（１，１）については、−１５Ｖの電圧が５回印加され、＋１５Ｖの電圧印加回数と−１５Ｖの電圧印加回数の差が０となり、全ての画素で＋１５Ｖの電圧印加回数と−１５Ｖの電圧印加回数の差が０となる。つまり、全ての画素でプラスの電圧の印加回数とマイナスの電圧の印加回数とが揃った状態となる。
【００６０】
次にコントローラー５は、電圧印加回数Ｎ＿ＰＲＥの値を電圧印加回数Ｎ＿ＮＥＷの値で書き換える（ステップＳＥ６）。これにより、電圧印加回数Ｎ＿ＰＲＥの値は、５から４に書き換えられる。この後、コントローラー５は、全画素を黒にする処理を実行する（ステップＳＥ７）。ステップＳＥ７においては、コントローラー５は、予定画像記憶領域Ｅの値を全て０にする。また、カウンター記憶領域Ｂの値を全て電圧印加回数Ｎ＿ＰＲＥの値に設定する。これにより、カウンター記憶領域Ｂ（１，１）とカウンター記憶領域Ｂ（１，２）には４が書き込まれ、予定画像記憶領域Ｅ（１，１）と予定画像記憶領域Ｅ（１，２）には０が書き込まれる。
この後、コントローラー５は、カウンター記憶領域Ｂの値が全て０になるまで図７の処理を繰り返す。これにより、全ての画素において＋１５Ｖの電圧が４回印加され、＋１５Ｖの電圧印加回数と、−１５Ｖの電圧印加回数の差が４となる。
【００６１】
次に、コントローラー５は、全画素を白にする処理を実行する（ステップＳＥ８）。ステップＳＥ８においては、コントローラー５は、予定画像記憶領域Ｅの値を全て５にする。また、カウンター記憶領域Ｂの値を全て電圧印加回数Ｎ＿ＰＲＥの値に設定する。これにより、カウンター記憶領域Ｂ（１，１）とカウンター記憶領域Ｂ（１，２）には４が書き込まれ、予定画像記憶領域Ｅ（１，１）と予定画像記憶領域Ｅ（１，２）には５が書き込まれる。
この後、コントローラー５は、カウンター記憶領域Ｂの値が全て０になるまで図７の処理を繰り返す。これにより、全ての画素において−１５Ｖの電圧が４回印加され、＋１５Ｖの電圧印加回数と、−１５Ｖの電圧印加回数の差が０となる。
【００６２】
次にコントローラー５は、ステップＳＥ９で図６の処理を行い、各画素について予定画像記憶領域Ｅの内容をバッファーＡの内容と同じにする。なお、上述の図１０の処理が開始された後で１０フレーム目の開始前に制御部２によりバッファーＡ（１，１）の内容が０から５に書き換えられ、バッファーＡ（１，２）の内容が５から０に書き換えられていた場合、ここで、画素Ｐ（１，１）については、バッファーＡ（１，１）と予定画像記憶領域Ｅ（１，１）の値が同じであるため、コントローラー５は、ステップＳＡ３でＹＥＳと判断し、予定画像記憶領域Ｅ（１，１）の値は５のままとなり、カウンター記憶領域Ｂ（１，１）の値は０のままとなる。また、画素Ｐ（１，２）については、バッファーＡ（１，２）と予定画像記憶領域Ｅ（１，２）の値が異なるため、コントローラー５は、ステップＳＡ３でＮＯと判断し、予定画像記憶領域Ｅ（１，２）の値を０とし、カウンター記憶領域Ｂ（１，２）の値を４とする。
この後にフレーム期間となると、図７の処理が実行され、画素Ｐ（１，２）については、カウンター記憶領域Ｂ（１，２）の値が０になるまで＋１５Ｖの電圧が印加され、画素の階調が黒に変化する。
【００６３】
以上説明したように本実施形態においては、画素の階調を変更するための電圧印加回数を温度に応じて変更する際には、まず、＋１５Ｖの電圧印加回数と−１５Ｖの電圧印加回数とを揃えてから電圧印加回数が変更される。このため、画素を黒にしたときの印加電圧の極性及び印加回数と、画素を白にしたときの印加電圧の極性及び印加回数とのバランスがとれ、画素が保持する電荷量が一定の値になるため、画素が早く劣化するのを抑えることができる。
【００６４】
［第２実施形態］
次に、本発明の第２実施形態について説明する。本発明の第２実施形態は、ＲＡＭ４の構成と、コントローラー５が行う処理の流れが第１実施形態と異なる。以下、第１実施形態と同じ構成については説明を省略し、相違点について説明する。
【００６５】
図１２は、本実施形態に係るＲＡＭ４の構成を示した図である。図に示したように、本実施形態においては、バランス記憶領域Ｄが設けられている。図１３は、バランス記憶領域Ｄにおいて、図４の（ａ）に示した画素の各々に対応した記憶領域を示した図である。例えば、バランス記憶領域Ｄ（ｉ，ｊ）は画素Ｐ（ｉ，ｊ）に対応した記憶領域である。バランス記憶領域Ｄ（ｉ，ｊ）には、画素Ｐ（ｉ，ｊ）に印加されたプラスの電圧の印加回数とマイナスの電圧の印加回数との差が格納される。
なお、本実施形態においては、白の電気泳動粒子と黒の電気泳動粒子で分散媒中における移動のしやすさが異なるため、画素の階調を変更するときの電圧印加回数が、画素を白から黒へ変化させるときと、画素を黒から白へ変化させるときとで異なる。
具体的には、画素を黒から白にする場合、温度センサー６で検知した温度が１５℃未満の場合には７回、１５℃以上２０℃未満の場合には６回、２０℃以上３０℃未満の場合には５回、３０℃以上の場合には４回としている。また、画素を白から黒にする場合、温度センサー６で検知した温度が１５℃未満の場合には５回、１５℃以上２０℃未満の場合には４回、２０℃以上３０℃未満の場合には３回、３０℃以上の場合には３回としている。
【００６６】
また、本実施形態においては、ＲＡＭ４には、第１電圧印加回数Ｎ＿ＰＲＥ１と、第２電圧印加回数Ｎ＿ＰＲＥ２が設けられている。第１電圧印加回数Ｎ＿ＰＲＥ１には、画素を黒から白にするときの電圧印加回数が書き込まれ、第２電圧印加回数Ｎ＿ＰＲＥ２には、画素を白から黒にするときの電圧印加回数が書き込まれる。
【００６７】
次に、本実施形態のコントローラー５が行う処理について説明する。まず、本実施形態においては、フレーム期間前に図６の処理が行われるが、ステップＳＡ５の処理の内容が第１実施形態と異なる。具体的には、本実施形態のステップＳＡ５においては、コントローラー５は、予定画像記憶領域Ｅ（ｉ，ｊ）の値が５（白）である場合には第１電圧印加回数Ｎ＿ＰＲＥ１の値をカウンター記憶領域Ｂ（ｉ，ｊ）に書き込み、予定画像記憶領域Ｅ（ｉ，ｊ）の値が０（黒）である場合には第２電圧印加回数Ｎ＿ＰＲＥ２の値をカウンター記憶領域Ｂ（ｉ，ｊ）に書き込む。
【００６８】
また、本実施形態においては、図７の処理が行われるが、ステップＳＢ４とステップＳＢ５の処理の内容が第１実施形態と異なる。
図１４は、本実施形態のステップＳＢ４で行われる処理の流れを示したフローチャートである。まず、コントローラー５は、ステップＳＣ１１でカウンター記憶領域Ｂ（ｉ，ｊ）の値が０であるか判断する。ここで、カウンター記憶領域Ｂ（ｉ，ｊ）の値が０である場合（ステップＳＣ１１でＹＥＳ）、ｊ列目のデータ線１１４を電圧Ｖｃｏｍに対して０Ｖにする（ステップＳＣ１４）。一方、カウンター記憶領域Ｂ（ｉ，ｊ）の値が０ではない場合（ステップＳＣ１１でＮＯ）、ステップＳＣ１２でカウンター記憶領域Ｂ（ｉ，ｊ）とバランス記憶領域Ｄ（ｉ，ｊ）の値を書き換える。具体的には、コントローラー５は、カウンター記憶領域Ｂ（ｉ，ｊ）の値をデクリメントし、バランス記憶領域Ｄ（ｉ，ｊ）の値をインクリメントする。なお、ステップＳＣ１３の処理は、ステップＳＣ３の処理と同じである。
【００６９】
次に図１５は、本実施形態のステップＳＢ５で行われる処理の流れを示したフローチャートである。まず、コントローラー５は、ステップＳＤ１１でカウンター記憶領域Ｂ（ｉ，ｊ）の値が０であるか判断する。ここで、カウンター記憶領域Ｂ（ｉ，ｊ）の値が０である場合（ステップＳＤ１１でＹＥＳ）、ｊ列目のデータ線１１４を電圧Ｖｃｏｍに対して０Ｖにする（ステップＳＤ１４）。一方、カウンター記憶領域Ｂ（ｉ，ｊ）の値が０ではない場合（ステップＳＤ１１でＮＯ）、ステップＳＤ１２でカウンター記憶領域Ｂ（ｉ，ｊ）とバランス記憶領域Ｄ（ｉ，ｊ）の値を書き換える。具体的には、コントローラー５は、カウンター記憶領域Ｂ（ｉ，ｊ）の値をデクリメントし、バランス記憶領域Ｄ（ｉ，ｊ）の値をデクリメントする。なお、ステップＳＤ１３の処理は、ステップＳＤ３の処理と同じである。
【００７０】
また、本実施形態においては、図６の処理と図７の処理の間において、図１０の処理に替えて図１６の処理が実行される。図１６に示した処理においては、ステップＳＥ１１の処理はステップＳＥ１と同じであり、ステップＳＥ１２の処理は、ステップＳＥ２と同じである。
コントローラー５は、ステップＳＥ１３においては、ステップＳＥ１２で特定した温度に基づいて第１電圧印加回数Ｎ＿ＮＥＷ１と第２電圧印加回数Ｎ＿ＮＥＷ２を特定する。例えば、ステップＳＥ１２で特定した温度が１８℃の場合には、画素を黒から白にする電圧印加回数の６回を第１電圧印加回数Ｎ＿ＮＥＷ１とし、画素を白から黒にする電圧印加回数の４回を第２電圧印加回数Ｎ＿ＮＥＷ２とする。
【００７１】
次にコントローラー５は、ステップＳＥ１４において、第１電圧印加回数Ｎ＿ＮＥＷ１と第１電圧印加回数Ｎ＿ＰＲＥ１とが同じであり、且つ、第２電圧印加回数Ｎ＿ＮＥＷ２と第２電圧印加回数Ｎ＿ＰＲＥ２とが同じであるか判断する。ここで、コントローラー５は、ＹＥＳと判断した場合には図１６の処理を終了する。
一方、コントローラー５は、ステップＳＥ１４でＮＯと判断した場合、画素を黒にしたときの印加電圧の極性及び印加回数と、画素を白にしたときの印加電圧の極性及び印加回数とのバランスを調整する処理を実行する（ステップＳＥ１５）。具体的には、コントローラー５は、バランス記憶領域Ｄの値がマイナスになっている画素については、予定画像記憶領域Ｄに０（黒）を書き込み、バランス記憶領域Ｄの値の絶対値をカウンター記憶領域Ｂに書き込む。また、コントローラー５は、バランス記憶領域Ｄの値がプラスになっている画素については、予定画像記憶領域Ｄに５（白）を書き込み、バランス記憶領域Ｄの値の絶対値をカウンター記憶領域Ｂに書き込む。コントローラー５は、予定画像記憶領域Ｅとカウンター記憶領域Ｂの値を変更すると、全画素のカウンター記憶領域Ｂの値が０になるまで図７の処理を実行する。
【００７２】
次にコントローラー５は、ステップＳＥ１６において、第１電圧印加回数Ｎ＿ＰＲＥ１の値を第１電圧印加回数Ｎ＿ＮＥＷ１の値とし、第２電圧印加回数Ｎ＿ＰＲＥ２の値を第２電圧印加回数Ｎ＿ＮＥＷ２の値とする。この後、コントローラー５は、全画素を黒にする処理（ステップＳＥ１７）を実行した後、全画素を白にする処理（ステップＳＥ１８）を実行する。また、コントローラー５は、各記憶領域を更新する処理を行う（ステップＳＥ１９）。なお、コントローラー５は、ステップＳＥ１９の処理として図６に示した処理を実行する。
【００７３】
次に、温度センサー６で検知した温度が変化したときの動作の一例を図１７を用いて説明する。図１７は、時間の経過と共に変化する各記憶領域の内容を示した図であり、一例として画素Ｐ（１，１）と画素Ｐ（１，２）に対応した各記憶領域の内容について示している。なお、各記憶領域の内容はフレーム期間が終了した後の値となっている。また、図１７においては、温度センサー６で検知された温度、第１電圧印加回数Ｎ＿ＰＲＥ１の値及び第２電圧印加回数Ｎ＿ＰＲＥ２の値の変化も示している。
【００７４】
まず、１フレーム目と２フレーム目においては、カウンター記憶領域Ｂの値が０となっており、全画素で書き込み動作が行われていない状態となっている。３フレーム目の開始前に制御部２によってバッファーＡの内容が書き換えられた後、コントローラー５は、フレーム期間の開始前に図６の処理を行う。ここで、バッファーＡ（１，１）の値が０であり、予定画像記憶領域Ｅ（１，１）の値が５であって、バッファーＡ（１，１）と予定画像記憶領域Ｅ（１，１）の値が異なり（ステップＳＡ３でＮＯ）、カウンター記憶領域Ｂ（１，１）の値が０であるため（ステップＳＡ４でＹＥＳ）、コントローラー５は、カウンター記憶領域Ｂ（１，１）の値を設定する（ステップＳＡ５）。
ここで、本実施形態においては、ステップＳＡ５の処理の内容が第１実施形態と異なる。この時点で第２電圧印加回数Ｎ＿ＰＲＥ２の値が４である場合、コントローラー５は、階調を０（黒）にするための電圧印加回数としてカウンター記憶領域Ｂ（１，１）に４を書き込む。また、コントローラー５は、予定画像記憶領域Ｅ（１，１）の値をバッファーＡ（１，１）の値で上書きして０にする（ステップＳＡ６）。
【００７５】
またコントローラー５は、バッファーＡ（１，２）の値が５であり、予定画像記憶領域Ｅ（１，２）の値が０であって、バッファーＡ（１，２）と予定画像記憶領域Ｅ（１，２）の値が異なり（ステップＳＡ３でＮＯ）、カウンター記憶領域Ｂ（１，２）の値が０であるため（ステップＳＡ４でＹＥＳ）、コントローラー５は、カウンター記憶領域Ｂ（１，１）の値を設定する（ステップＳＡ５）。この時点で、第１電圧印加回数Ｎ＿ＰＲＥ１の値が６である場合、コントローラー５は、階調を５（白）にするための電圧印加回数としてカウンター記憶領域Ｂ（１，２）に６を書き込み、予定画像記憶領域Ｅ（１，２）の値をバッファーＡ（１，２）の値で上書きして５にする（ステップＳＡ６）。
【００７６】
次にコントローラー５は、図１６の処理を実行する。この時点では、上述したようにカウンター記憶領域Ｂにおいて０以外の値が書き込まれた領域があるため、コントローラー５は、ステップＳＥ１１でＮＯと判断し、図１６の処理を終了する。次にコントローラー５は、フレーム期間になると図７の処理を実行する。
【００７７】
図７の処理においては、画素Ｐ（１，１）について予定画像記憶領域Ｂ（１，１）の値が０であるため、コントローラー５は、ステップＳＢ４の処理（図１４の処理）を実行する。図１４の処理においては、コントローラー５は、カウンター記憶領域Ｂ（１，１）の値が０ではないため（ステップＳＣ１１でＮＯ）、カウンター記憶領域Ｂ（１，１）の値をデクリメントして３にし、バランス記憶領域Ｄ（１，１）の値をインクリメントする（ステップＳＣ１２）。また、コントローラー５は、１列目のデータ線１１４を電圧Ｖｃｏｍに対して＋１５Ｖにし（ステップＳＣ１３）、処理の流れをステップＳＢ６へ移す。
また、画素Ｐ（１，２）については、予定画像記憶領域Ｂ（１，２）の値が５であるため、コントローラー５は、ステップＳＢ５の処理（図１５の処理）を実行する。図１５の処理においては、コントローラー５は、カウンター記憶領域Ｂ（１，２）の値が０ではないため（ステップＳＤ１１でＮＯ）、カウンター記憶領域Ｂ（１，２）の値をデクリメントして５にし、バランス記憶領域Ｄ（１，２）の値をデクリメントする（ステップＳＤ１２）。また、コントローラー５は、１列目のデータ線１１４を電圧Ｖｃｏｍに対して−１５Ｖにし（ステップＳＤ１３）、処理の流れをステップＳＢ６へ移す。
この後、１行目の走査線１１２が駆動されると（ステップＳＢ７）、画素Ｐ（１，１）の画素電極１０１ｄには、電圧Ｖｃｏｍに対して＋１５Ｖの電圧が印加され、黒の電気泳動粒子が共通電極層１０３ｂ側に移動し、画素Ｐ（１，２）の画素電極１０１ｄには、電圧Ｖｃｏｍに対して−１５Ｖの電圧が印加され、白の電気泳動粒子が共通電極層１０３ｂ側に移動する。
【００７８】
この後、画素Ｐ（１，１）については、カウンター記憶領域Ｂの値が０になるまでステップＳＢ４の処理が行われ、画素Ｐ（１，２）については、カウンター記憶領域Ｂの値が０になる８フレーム目までステップＳＢ５の処理が行われる。次に、８フレーム目が終了した時点でバッファーＡの内容が書き換えられていない場合、全画素についてステップＳＡ３でＹＥＳと判断されるため、カウンター記憶領域Ｂと予定画像記憶領域Ｅの内容は更新されない。
この後、図１６の処理が実行されるが、この時点では、カウンター記憶領域Ｂの値が全て０となっているため、コントローラー５は、ステップＳＥ１１でＹＥＳと判断する。次にコントローラー５は、温度センサー６からの信号に基づいて温度を特定し（ステップＳＥ１２）、特定した温度に対応した第１電圧印加回数Ｎ＿ＮＥＷ１と第２電圧印加回数Ｎ＿ＮＥＷ２を特定する（ステップＳＥ１３）。ステップＳＥ２で特定した温度が２０℃である場合、第１電圧印加回数Ｎ＿ＮＥＷ１は５となり、第２電圧印加回数Ｎ＿ＮＥＷ２は３となる。
【００７９】
ここで、第１電圧印加回数Ｎ＿ＰＲＥ１の値と第１電圧印加回数Ｎ＿ＮＥＷ１の値が異なり、第２電圧印加回数Ｎ＿ＰＲＥ２の値と第２電圧印加回数Ｎ＿ＮＥＷ２の値が異なるため、コントローラー５は、ステップＳＥ１４でＮＯと判断し、処理の流れをステップＳＥ１５へ移す。
【００８０】
ステップＳＥ５においては、コントローラー５は、バランス記憶領域Ｄ（１，１）の値が−２になっているため、予定画像記憶領域Ｄ（１，１）に０（黒）を書き込み、バランス記憶領域Ｄの値の絶対値である２をカウンター記憶領域Ｂ（１，１）に書き込む。また、コントローラー５は、バランス記憶領域Ｄ（１，２）の値が−１になっているため、予定画像記憶領域Ｄ（１，２）に０（黒）を書き込み、バランス記憶領域Ｄの値の絶対値である１をカウンター記憶領域Ｂ（１，２）に書き込む。
この後、コントローラー５は、カウンター記憶領域Ｂの値が全て０になるまで図７の処理を繰り返す。これにより、画素Ｐ（１，１）については、＋１５Ｖの電圧が２回印加され、＋１５Ｖの電圧印加回数と−１５Ｖの電圧印加回数の差が０となり、画素Ｐ（１，２）については、＋１５Ｖの電圧が１回印加され、＋１５Ｖの電圧印加回数と−１５Ｖの電圧印加回数の差が０となる。つまり、全ての画素でプラスの電圧の印加回数とマイナスの電圧の印加回数とが揃った状態となる。
【００８１】
次にコントローラー５は、第１電圧印加回数Ｎ＿ＰＲＥ１の値を第１電圧印加回数Ｎ＿ＮＥＷ１の値で書き換え、第２電圧印加回数Ｎ＿ＰＲＥ２の値を第２電圧印加回数Ｎ＿ＮＥＷ２の値で書き換える（ステップＳＥ１６）。
次に、コントローラー５は、全画素を黒にする処理を実行する（ステップＳＥ１７）。ステップＳＥ１７においては、コントローラー５は、予定画像記憶領域Ｅの値を全て０にする。また、カウンター記憶領域Ｂの値を全て第２電圧印加回数Ｎ＿ＰＲＥ２の値に設定する。これにより、カウンター記憶領域Ｂ（１，１）とカウンター記憶領域Ｂ（１，２）には３が書き込まれ、予定画像記憶領域Ｅ（１，１）と予定画像記憶領域Ｅ（１，２）には０が書き込まれる。この後、コントローラー５は、カウンター記憶領域Ｂの値が全て０になるまで図７の処理を繰り返す。これにより、全ての画素において＋１５Ｖの電圧が３回印加され、＋１５Ｖの電圧印加回数と、−１５Ｖの電圧印加回数の差が３となる。
【００８２】
次に、コントローラー５は、全画素を白にする処理を実行する（ステップＳＥ１８）。ステップＳＥ１８においては、コントローラー５は、予定画像記憶領域Ｅの値を全て５にする。また、カウンター記憶領域Ｂの値を全て第１電圧印加回数Ｎ＿ＰＲＥ１の値に設定する。これにより、カウンター記憶領域Ｂ（１，１）とカウンター記憶領域Ｂ（１，２）には５が書き込まれ、予定画像記憶領域Ｅ（１，１）と予定画像記憶領域Ｅ（１，２）には５が書き込まれる。この後、コントローラー５は、カウンター記憶領域Ｂの値が全て０になるまで図７の処理を繰り返す。これにより、全ての画素において−１５Ｖの電圧が５回印加され、＋１５Ｖの電圧印加回数と、−１５Ｖの電圧印加回数の差が−２となる。
【００８３】
次にコントローラー５は、ステップＳＥ１９で図６の処理を行い、各画素について予定画像記憶領域Ｅの内容をバッファーＡの内容と同じにする。なお、上述の図１６の処理が開始された後で１０フレーム目の開始前に制御部２によりバッファーＡ（１，１）の内容が０から５に書き換えられ、バッファーＡ（１，２）の内容が５から０に書き換えられていた場合、ここで、画素Ｐ（１，１）については、バッファーＡ（１，１）と予定画像記憶領域Ｅ（１，１）の値が同じであるため、コントローラー５は、ステップＳＡ３でＹＥＳと判断し、予定画像記憶領域Ｅ（１，１）の値は５のままとなり、カウンター記憶領域Ｂ（１，１）の値は０のままとなる。
【００８４】
また、画素Ｐ（１，２）については、バッファーＡ（１，２）と予定画像記憶領域Ｅ（１，２）の値が異なるため、コントローラー５は、ステップＳＡ３でＮＯと判断し、予定画像記憶領域Ｅ（１，２）の値を０とし、カウンター記憶領域Ｂ（１，２）の値を３とする。この後にフレーム期間となると、図７の処理が実行され、画素Ｐ（１，２）については、カウンター記憶領域Ｂ（１，２）の値が０になるまで＋１５Ｖの電圧が印加され、画素の階調が黒に変化する。
【００８５】
以上説明したように本実施形態においては、画素の階調を変更するための電圧印加回数を温度に応じて変更する際には、まず、ステップＳＥ１５で＋１５Ｖの電圧印加回数と−１５Ｖの電圧印加回数とを揃えてから電圧印加回数が変更される。このため、画素を黒にしたときの印加電圧の極性及び印加回数と、画素を白にしたときの印加電圧の極性及び印加回数とのバランスがとれ、画素が保持する電荷量が一定の値になるため、画素が早く劣化するのを抑えることができる。
【００８６】
［電子機器］
次に、上述した実施形態に係る表示装置１０００を適用した電子機器の例について説明する。図１８は、上述した実施形態に係る表示装置１０００を用いた電子ブックリーダーの外観を示した図である。電子ブックリーダー２０００は、板状のフレーム２００１と、ボタン９Ａ〜９Ｆと、上述した実施形態に係る電気光学装置１、制御部２、ＶＲＡＭ３、及びＲＡＭ４を備えている。電子ブックリーダー２０００においては表示領域１００が露出している。電子ブックリーダー２０００においては、電子書籍の内容が表示領域１００に表示され、ボタン９Ａ〜９Ｆを操作することにより電子書籍のページがめくられる。なお、このほかにも、上述した実施形態に係る電気光学装置１が適用可能な電子機器としては、時計や、電子ペーパー、電子手帳、電卓、携帯電話機等などが挙げられる。
【００８７】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００８８】
上述した実施形態においては、電気光学装置として電気泳動層１０２を有するものを例に説明したが、これに限定する趣旨ではない。電気光学装置は、画素の表示状態を第１表示状態から第２表示状態へ変化させるための書き込みが、電圧を複数回印加する書き込み動作によって行われるものであればどのようなものであってもよく、例えば電気光学材料として電子粉流体を用いた電気光学装置であってもよい。
【００８９】
本発明においては、電圧の印加回数を変更する際に、画素を黒にしたときの印加電圧の極性及び印加回数と、画素を白にしたときの印加電圧の極性及び印加回数とのバランスがとれる画像を表示すればよい。例えば、上述した第１実施形態においては、コントローラー５は、ステップＳＥ５で全画素の階調を白にしているが、全画素の階調を黒に変更した後に全画素の階調を白に変更し、この後でステップＳＥ６以降の処理を行うようにしてもよい。なお、この構成の場合には、コントローラー５は、ステップＳＥ７とステップＳＥ８の処理を行わないようにしてもよい。また、コントローラー５は、全画素の階調を白、全画素の階調を黒、全画素の階調を白、という動作を行った後にステップＳＥ６以降の処理を行うようにしてもよい。
【００９０】
上述した実施形態においては、黒の電気泳動粒子が正に帯電し、白の電気泳動粒子が負に帯電しているが、白の電気泳動粒子が正に帯電し、黒の電気泳動粒子が負に帯電している構成であってもよい。この構成の場合、第１実施形態のコントローラー５は、ステップＳＢ３において予定画像記憶領域Ｅ（ｉ，ｊ）の値が０である場合にはステップＳＢ５の処理を実行し、予定画像記憶領域Ｅ（ｉ，ｊ）の値が５である場合にはステップＳＢ４の処理を実行する。また、この構成においては、第１実施形態のコントローラー５は、ステップＳＥ５においては全画素を黒にする処理を実行し、ステップＳＥ７では全画素を白にする処理を実行し、ステップＳＥ８では全画素を黒にする処理を実行するようにしてもよく、また、ステップＳＥ５においては全画素を黒にする処理を実行し、ステップＳＥ７では全画素を白にする処理を実行し、ステップＳＥ７の後でステップＳＥ９の処理を行うようにしてもよい。
【００９１】
上述した第１実施形態においては、コントローラー５は、ステップＳＥ７の後でステップＳＥ８を行わずにステップＳＥ９を行うようにしてもよい。また、第２実施形態においては、コントローラー５は、ステップＳＥ１７の後でステップＳＥ１８の処理を行わずにステップＳＥ１９の処理を行うようにしてもよい。
【００９２】
上述した第１実施形態においては、コントローラー５は、ステップＳＥ９で予定画像記憶領域Ｅの内容をバッファーＡの内容と同じにしているが、この構成に限定されるものではない。コントローラー５は、ステップＳＥ９においてバッファーＡに書き込まれた画像の黒と白を反転した画像を予定画像記憶領域Ｅに書き込むようにしてもよい例えば、図１１の例の場合、２２フレーム目の開始前において予定画像記憶領域Ｅ（１，１）には０を書き込み、予定画像記憶領域Ｅ（１，２）には５を書き込むようにする。また、カウンター記憶領域Ｂ（１，１）とカウンター記憶領域Ｂ（１，２）には４を書き込む。
【００９３】
上述した実施形態においては、画素の階調を変更する書き込み動作においては、同じ極性の電圧を複数フレームに渡って印加しているが、画素の階調を変更する構成は、この構成に限定されるものではない。例えば、第１実施形態においては、画素を黒にする場合に温度が２５℃の場合には＋１５Ｖの電圧を４回印加するが、プラスの電圧の印加回数がマイナスの電圧の印加回数より４回多い構成であればよく、＋１５Ｖ、＋１５、−１５Ｖ、＋１５Ｖ、＋１５Ｖ、＋１５Ｖという順番で電圧を印加し、プラスの電圧とマイナスの電圧を印加するようにしてもよい。また、画素を白にする場合に温度が２５℃の場合には−１５Ｖの電圧を４回印加するが、マイナスの電圧の印加回数がプラスの電圧の印加回数より４回多い構成であればよく、−１５Ｖ、−１５、＋１５Ｖ、−１５Ｖ、−１５Ｖ、−１５Ｖという順番で電圧を印加し、プラスの電圧とマイナスの電圧を印加するようにしてもよい。なお、本変形例においては、画素を黒にする場合のプラスの電圧の印加回数とマイナスの電圧の印加回数との差と、画素を白にする場合のマイナスの電圧の印加回数とプラスの電圧の印加回数との差が同じであるのが好ましい。
【００９４】
上述した実施形態においては、各温度帯において予め定められた回数で電圧を画素に印加すると画素の階調が黒又は白に変更されて二階調の表示がされるが、この予め定められた回数より少ない回数の電圧を印加すると、黒の電気泳動粒子のうち画素電極１０１ｄと共通電極層１０３ｂの間に位置するものがあり、中間階調の表示を行うことができる。例えば、第１実施形態においては、温度センサー６で検知した温度が１５℃未満の場合に画素への電圧の印加回数を６回に固定すると二階調で画像の表示が行われ、表示する階調にあわせて１回〜６回の電圧印加回数を設定すると中間階調の表示が行われる。
本発明においては、これを利用し、電圧印加回数を所定の回数に固定にして二階調の表示を行うモードと、中間階調にあわせて電圧印加回数を決定して中間階調の表示を行うモードとを選択できるようにし、画像の表示について二階調の表示と中間階調の表示を切り替えられるようにしてもよい。
なお、この構成においては、二階調の表示から中間階調の表示へ切り替えるときと、中間階調の表示から二階調の表示に切り替えるときに、上述した実施形態で実行される処理である、全画素についてプラスの電圧の印加回数とマイナスの電圧の印加回数を揃える処理をしてから表示を切り替えるようにしてもよい。
【００９５】
上述した実施形態においては、各温度帯において予め定められた回数で電圧を画素に印加すると画素の階調が黒又は白に変更されて二階調の表示がされるが、この回数より少ない回数で電圧を印加すると、所定の階調にはならないものの、黒に近いグレーと白に近いグレーの二階調の表示を行うことができる。そして、このように、予め定められた回数より少ない回数の電圧を印加するようにすると、電圧の印加回数が少ないため、画像の表示に掛かる時間を短くすることができる。
本発明においては、これを利用し、電圧印加回数を所定の回数にして黒と白の二階調の表示を行う場合と、電圧印加回数を、この所定の回数より少ない回数にして黒に近いグレーと白に近いグレーの二階調の表示を行う場合とを選択できるようにしてもよい。
なお、この構成においては、電圧印加回数を所定の回数にするときと、この所定の回数より少ない回数にするときに、上述した実施形態で実行される処理である、全画素についてプラスの電圧の印加回数とマイナスの電圧の印加回数を揃える処理をしてから、電圧の印加回数を変更するようにしてもよい。
【００９６】
また、本発明において第１実施形態のコントローラー５は、予め定められた時間（例えば１５分や３０分）が経過する毎に図１９に示した処理を実行するようにしてもよい。図１９の処理においては、コントローラー５は、まず、ステップＳＦ１でカウンター記憶領域Ｂの値が全て０になるまで待機する。コントローラー５は、ステップＳＦ１でＹＥＳと判断すると、ステップＳＦ２〜ステップＳＦ４の処理を行う。なお、ステップＳＦ２〜ステップＳＦ３の処理は、ステップＳＥ２〜ステップＳＥ３の処理と同じであり、ステップＳＦ４の処理は、ステップＳＥ５の処理と同じである。
【００９７】
次にコントローラー５は、ステップＳＦ５の処理を行う。なお、ステップＳＦ５の処理は、ステップＳＥ４の処理と同じである。コントローラー５は、ステップＳＦ５でＮＯと判断すると、ステップＳＦ６〜ステップＳＦ９の処理を行う。なお、ステップＳＦ６〜ステップＳＦ９処理は、ステップＳＥ６〜ステップＳＥ９の処理と同じである。また、コントローラー５は、ステップＳＦ５でＹＥＳと判断した場合には、処理の流れをステップＳＦ７へ移す。なお、図１９の処理を実行する場合には、コントローラー５は、フレーム期間の前に図６の処理を実行しないようにしてもよい。
【００９８】
また、本発明の第２実施形態においては、予め定められた時間（例えば１５分や３０分）が経過する毎に図２０に示した処理を実行するようにしてもよい。図２０の処理においては、コントローラー５は、まず、ステップＳＧ１でカウンター記憶領域Ｂの値が全て０になるまで待機する。コントローラー５は、ステップＳＧ１でＹＥＳと判断すると、ステップＳＧ２〜ステップＳＧ４の処理を行う。なお、ステップＳＧ２〜ステップＳＧ３の処理は、ステップＳＥ１２〜ステップＳＥ１３の処理と同じであり、ステップＳＧ４の処理は、ステップＳＥ１５の処理と同じである。
【００９９】
次にコントローラー５は、ステップＳＧ５の処理を行う。なお、ステップＳＧ５の処理は、ステップＳＥ１４の処理と同じである。コントローラー５は、ステップＳＧ５でＮＯと判断すると、ステップＳＧ６〜ステップＳＧ９の処理を行う。なお、ステップＳＧ６〜ステップＳＧ９の処理は、ステップＳＥ１６〜ステップＳＥ１９の処理と同じである。また、コントローラー５は、ステップＳＧ５でＹＥＳと判断すると、処理の流れをステップＳＧ７へ移す。なお、第２実施形態において図２０の処理を実行する場合には、コントローラー５は、フレーム期間の前に図１６の処理を実行しないようにしてもよい。
【符号の説明】
【０１００】
１…電気光学装置、２…制御部、３…ＶＲＡＭ、４…ＲＡＭ、５…コントローラー、６…温度センサー、９Ａ〜９Ｆ…ボタン、１０…表示部、１００…表示領域、１０１…第１基板、１０１ａ…基板、１０１ｂ…接着層、１０１ｃ…回路層、１０１ｄ…画素電極、１０２…電気泳動層、１０２ａ…マイクロカプセル、１０２ｂ…バインダー、１０３…第２基板、１０３ａ…フィルム、１０３ｂ…共通電極層、１１０…画素、１１０ａ…ＴＦＴ、１１０ｂ…表示素子、１１０ｃ…補助容量、１１２…走査線、１１４…データ線、５０１…調整部、５０２…書き込み部、５０３…変更部、２０００…電子ブックリーダー、２００１…フレーム、Ａ（ｉ，ｊ）…バッファー、Ｂ，Ｂ（ｉ，ｊ）…カウンター記憶領域、Ｄ，Ｄ（ｉ，ｊ）…バランス記憶領域、Ｅ，Ｅ（ｉ，ｊ）…予定画像記憶領域、Ｎ＿ＰＲＥ…電圧印加回数、Ｎ＿ＰＲＥ１…第１電圧印加回数、Ｎ＿ＰＲＥ２…第２電圧印加回数
【図１】
2013195896.tif 000003
【図２】
2013195896.tif 000004
【図３】
2013195896.tif 000005
【図４】
2013195896.tif 000006
【図５】
2013195896.tif 000007
【図６】
2013195896.tif 000008
【図７】
2013195896.tif 000009
【図８】
2013195896.tif 000010
【図９】
2013195896.tif 000011
【図１０】
2013195896.tif 000012
【図１１】
2013195896.tif 000013
【図１２】
2013195896.tif 000014
【図１３】
2013195896.tif 000015
【図１４】
2013195896.tif 000016
【図１５】
2013195896.tif 000017
【図１６】
2013195896.tif 000018
【図１７】
2013195896.tif 000019
【図１８】
2013195896.tif 000020
【図１９】
2013195896.tif 000021
【図２０】
2013195896.tif 000022